(57)【要約】【課題】電気機器において、電源投入時に生じ得るヘッドホンからのポップ音出力を抑え、しかも、そのポップ音出力抑制に必要な電力を減らす。【解決手段】電気機器１は、ヘッドホンプラグ２が抜き差しされるヘッドホンジャック３と、メインＩＣ４と、ヘッドホンジャック３による音声信号出力をミュートするミュート回路７とを備える。メインＩＣ４及びミュート回路７は電気機器１の電源が未投入であっても給電され、メインＩＣ４は、ヘッドホンプラグ２が差し込まれているときにはミュート回路７を駆動し、ヘッドホンプラグ２が差し込まれていないときにはミュート回路７を駆動しない。ヘッドホンプラグ２差込時のミュート回路７の駆動により、電源投入時に生じ得るポップ音出力を抑えることができる。また、ミュート回路７はヘッドホンプラグ２が差し込まれていないときには駆動しないので、ポップ音出力抑制に必要とされる電力を低減することができる。【選択図】図１
2011139232.tif 000002
【特許請求の範囲】
【請求項１】
ヘッドホンプラグが抜き差しされ、該ヘッドホンプラグが差し込まれているときに該ヘッドホンプラグに音声信号を出力するヘッドホンジャックと、
前記ヘッドホンジャックによる音声信号出力をミュートするミュート回路と、
前記ミュート回路を駆動制御する制御回路と、を備えた電気機器において、
前記ヘッドホンジャックへの前記ヘッドホンプラグの抜き差しを検知する検知手段を備え、
前記ミュート回路及び前記制御回路は、機器の電源が投入されていないときであっても給電され、
前記制御回路は、
前記検知手段により前記ヘッドホンジャックに前記ヘッドホンプラグが差し込まれていると検知されたときには、前記ミュート回路を駆動し、
前記検知手段により前記ヘッドホンジャックに前記ヘッドホンプラグが差し込まれていないと検知されたときには、前記ミュート回路を駆動しないことを特徴とする電気機器。
【発明の詳細な説明】
【技術分野】
【０００１】
本発明は、ヘッドホンジャックを備えた電気機器に関する。
【背景技術】
【０００２】
従来から、ヘッドホンジャックからの音声信号出力をミュートするミュート回路を備えた電気機器が知られている。この電気機器では、機器がスタンバイ状態、すなわち、機器に電力が供給されていても機器の電源が未投入であるときに、ミュート回路が駆動する。これにより、電源投入時に、ヘッドホンジャックにヘッドホンプラグが差し込まれていた場合に生じ得るヘッドホンからのポップ音出力を抑えることができる。しかしながら、そのポップ音出力抑制に必要とされる電力を低減したいとの要望がある。
【０００３】
消費電力の低減を図った電気機器としては、電源投入後、ヘッドホンジャックにヘッドホンプラグが差し込まれていないときには、ミュート回路が駆動し、これにより、ミュート回路後段に在るヘッドホンアンプに音声信号の増幅動作を行わせないようにした電気機器が知られている（例えば、特許文献１参照）。この電気機器においては、ヘッドホンアンプによる消費電力が低減される。
【０００４】
また、電源投入後に、ヘッドホンプラグがヘッドホンジャックに差し込まれたときは、音声出力ＩＣからスピーカへの出力を停止させる電気機器が知られている（例えば、特許文献２参照）。
【０００５】
また、電源投入時に生じ得るポップ音出力を抑えるミュート回路を備え、そのミュート回路の消費電流が電源投入後の音声再生時には０となるようにされた電気機器が知られている（例えば、特許文献３参照）。
【０００６】
しかしながら、特許文献１〜３に記載の電気機器のいずれも、機器の電源投入時のポップ音出力抑制に必要とされる電力を低減するものではなく、上記要望を満たすことは困難である。
【先行技術文献】
【特許文献】
【０００７】
【特許文献１】特開２００７−３１２０３０号公報
【特許文献２】特開２００５−４５４７７号公報
【特許文献３】特開２００５−６４６５１号公報
【発明の概要】
【発明が解決しようとする課題】
【０００８】
本発明は、上記の従来の問題を解決するためになされたものであり、機器の電源投入時に生じ得るヘッドホンからのポップ音出力を抑えることができ、しかも、そのポップ音出力抑制に必要な電力を低減することができる電気機器を提供することを目的とする。
【課題を解決するための手段】
【０００９】
上記目的を達成するために請求項１の発明は、ヘッドホンプラグが抜き差しされ、該ヘッドホンプラグが差し込まれているときに該ヘッドホンプラグに音声信号を出力するヘッドホンジャックと、前記ヘッドホンジャックによる音声信号出力をミュートするミュート回路と、前記ミュート回路を駆動制御する制御回路と、を備えた電気機器において、前記ヘッドホンジャックへの前記ヘッドホンプラグの抜き差しを検知する検知手段を備え、前記ミュート回路及び前記制御回路は、機器の電源が投入されていないときであっても給電され、前記制御回路は、前記検知手段により前記ヘッドホンジャックに前記ヘッドホンプラグが差し込まれていると検知されたときには、前記ミュート回路を駆動し、前記検知手段により前記ヘッドホンジャックに前記ヘッドホンプラグが差し込まれていないと検知されたときには、前記ミュート回路を駆動しないものである。
【発明の効果】
【００１０】
請求項１の発明によれば、機器の電源が投入されていない状態であっても、ヘッドホンプラグがヘッドホンジャックに差し込まれているときには、ミュート回路が駆動して、ヘッドホンジャックから音声が出力されず、ヘッドホンプラグがヘッドホンジャックに差し込まれていないときには、ヘッドホンジャックから音声が出力されてもヘッドホンから音声は出力されないので、機器の電源投入時に生じ得るヘッドホンからのポップ音出力を抑えることができる。また、ヘッドホンプラグがヘッドホンジャックに差し込まれていないときには、ミュート回路は駆動しないので、ポップ音出力抑制に必要な電力を低減することができる。
【図面の簡単な説明】
【００１１】
【図１】本発明の一実施形態に係る電気機器の電気的ブロック図。
【発明を実施するための形態】
【００１２】
本発明の一実施形態に係る電気機器について図面を参照して説明する。図１は、本実施形態に係る電気機器の構成を示す。この電気機器１は、ヘッドホンから導出されたヘッドホンプラグ（以下、プラグという）２が抜き差しされるヘッドホンジャック（以下、ジャックという）３と、電気機器１の各部を制御するメインＩＣ４（制御回路）と、メインＩＣ４から出力されるディジタル音声信号をＤ／Ａ変換するＤ／Ａコンバータ５と、Ｄ／Ａコンバータ５から出力されたアナログ音声信号を増幅してジャック３に送出するヘッドホンアンプ（以下、アンプという）６と、ジャック３による音声信号出力をミュートするミュート回路７と、電気機器１に電源を投入するための電源スイッチ８とを備える。ジャック３は、プラグ２が差し込まれているときにプラグ２に音声信号を出力する。また、ジャック３は、プラグ２の抜き差しを検知する検知スイッチ（検知手段）３１を有する。メインＩＣ４及びミュート回路７は電気機器１の電源が未投入の状態、すなわち、スタンバイ状態であっても給電される。メインＩＣ４は、電源スイッチ８の操作に基づいて、電気機器１がスタンバイ状態であると判定したとき、ミュート回路７を駆動制御する。具体的には、メインＩＣ４は、ジャック３にプラグ２が差し込まれていると検知スイッチ３１により検知されたときには、ミュート回路７を駆動し、ジャック３にプラグ２が差し込まれていないと検知スイッチ３１により検知されたときには、ミュート回路７を駆動しない。
【００１３】
ジャック３は、音声信号を出力するための端子３ａ、３ｂを有する。検知スイッチ３１は、ジャック３へのプラグ２の抜き差しに応じて端子間が接続／切断される端子３１ａ、３１ｂにより構成される。プラグ２がジャック３に差し込まれていないとき、端子３１ａ、３１ｂは接触しており、検知スイッチ３１はオン状態である。プラグ２がジャック３に差し込まれると、プラグ２により端子３１ａは端子３１ｂから離され、検知スイッチ３１はオフ状態となる。端子３１ａはメインＩＣ４と電気的に接続され、端子３１ｂは接地されている。
【００１４】
メインＩＣ４は、検知スイッチ３１による検知出力、すなわち、ヘッドホン検知出力が入力されるヘッドホン検知ポート（以下、検知ポートという）４１と、ミュート回路７に、ミュート回路７を駆動制御するためのミュート信号を出力するミュートポート４２とを有する。検知ポート４１は、検知スイッチ３１の端子３１ａと電気的に接続され、かつ、プルアップ抵抗Ｒ１を介して電圧Ｖ１が印加されて、プルアップされている。また、メインＩＣ４は、ユーザによる電源スイッチ８のオン／オフ操作に基づき、電気機器１の電源の未投入／投入を検知する。
【００１５】
ミュート回路７は、Ｄ／Ａコンバータ５から出力された音声信号を引き込んでグランドに流し、ミュートするためのトランジスタＱ１と、トランジスタＱ１のミュート動作をオン／オフ制御するトランジスタＱ２とを有する。トランジスタＱ１は、ｎｐｎ型トランジスタにより構成され、そのコレクタには、Ｄ／Ａコンバータ５からアンプ６への出力が分岐して入力される。トランジスタＱ１のエミッタは接地され、そのベースには電流調整用の抵抗Ｒ２を介してトランジスタＱ２からの出力が送入される。トランジスタＱ１のベースには、そのベースへの入力電流がＬｏｗのときに、そのベースを確実にグランドに引き込むためのプルダウン抵抗Ｒ３が接続されている。トランジスタＱ２は、ｐｎｐ型トランジスタにより構成され、そのコレクタが抵抗Ｒ２を介してトランジスタＱ１のベースと接続されている。トランジスタＱ２のエミッタには駆動電圧Ｖ２が印加され、そのベースには、電流調整用の抵抗Ｒ４を介してメインＩＣ４からミュート信号が入力される。
【００１６】
次に、電気機器１がスタンバイ状態であるときの電気機器１の各部の動作を説明する。プラグ２がジャック３に差し込まれているとき、検知スイッチ３１はオフ状態になり、検知ポート４１には、印加電圧Ｖ１からプルアップ抵抗による降下電圧を減じて得た電圧が印加される。これにより、検知ポート４１には、ヘッドホン検知出力として、Ｈｉｇｈの信号が入力される。この信号入力を受けて、メインＩＣ４は、ミュートポート４２からトランジスタＱ２へ、駆動を指示するＬｏｗのミュート信号を出力する。これにより、トランジスタＱ２のエミッタ−ベース間の電位差がトランジスタＱ２をオン状態とするのに必要な値以上となり、トランジスタＱ２はオンする。そのため、駆動電圧Ｖ２によりトランジスタＱ１のベースにＨｉｇｈの電流が入力され、トランジスタＱ１はオンする。その結果、トランジスタＱ１により音声信号はグランドに引き込まれてミュートされる。
【００１７】
これに対して、プラグ２がジャック３に差し込まれていないときには、検知スイッチ３１はオン状態になり、検知ポート４１の電位はグランドに引き込まれ、検知ポート４１にはヘッドホン検知出力としてＬｏｗの信号が入力される。この信号入力を受けて、メインＩＣ４は、ミュートポート４２からトランジスタＱ２へ、駆動しないように指示するＨｉｇｈのミュート信号を出力する。これにより、トランジスタＱ２のエミッタ−ベース間の電位差が駆動に必要な値未満となり、トランジスタＱ２はオフする。そのため、トランジスタＱ１のベース電流は略０となり、ベース電位はプルダウン抵抗Ｒ３によりグランド電位に引き込まれ、トランジスタＱ１はオフする。すなわち、ミュート回路７は駆動しなくなる。
【００１８】
電気機器１の電源投入後については、メインＩＣ４は、スタンバイ状態時と同等に動作しても、又はスタンバイ状態時とは別の動作をしてもよい。
【００１９】
上記のように構成された本実施形態の電気機器１においては、電気機器１が電源未投入であるスタンバイ状態であっても、プラグ２がジャック３に差し込まれているときには、ミュート回路７が駆動して、ジャック３から音声が出力されず、プラグ２がジャック３に差し込まれていないときには、ジャック３から音声が出力されても、プラグ２に繋がるヘッドホンから音声は出力されない。このため、電源投入時に、ヘッドホンから生じ得るポップ音出力を抑えることができる。また、プラグ２がジャック３に差し込まれていないときには、ミュート回路７は駆動せず、トランジスタＱ１のベース電流は略０となってトランジスタＱ１の消費電力が削減されるので、ポップ音出力抑制に必要とされる電力を低減することができる。その結果、電気機器１の待機電力低減を図ることができる。
【００２０】
なお、本発明は、上記の実施形態の構成に限定されるものでなく、使用目的に応じ、様々な変形が可能である。例えば、プラグ２は、モノラルプラグとして図示しているが、ステレオプラグであってもよい。この場合、ジャック３はステレオプラグに対応するように構成される。
【符号の説明】
【００２１】
１  電気機器
２  ヘッドホンプラグ
３  ヘッドホンジャック
３１  検知スイッチ（検知手段）
４  メインＩＣ（制御回路）
７  ミュート回路
【図１】
2011139232.tif 000003